【手続補正書】
【提出日】平成16年9月6日(2004.9.6)
【手続補正１】
【補正対象書類名】明細書
【補正対象項目名】特許請求の範囲
【補正方法】変更
【補正の内容】
【特許請求の範囲】
【請求項１】
回転力が入力される入力軸と、前記入力軸にスプライン結合されて入力軸と一体で回転する一対の第１および第２の入力側ディスクと、前記各入力側ディスクの回転力がパワーローラを介して伝達される一対の出力側ディスクと、前記第１の入力側ディスクと前記入力軸との間に設けられ且つ前記入力軸の回転力を前記第１の入力側ディスクに伝えるローディングカム装置と、前記ローディングカム装置を構成し且つ前記入力軸と共に回転するローディングカムと、前記入力軸と前記ローディングカムとの間に設けられてスラスト荷重を支承自在な玉軸受と、前記ローディングカムと前記入力軸との間に設けられ且つ前記入力軸との間で前記玉軸受の玉を支持するベアリング支持部材と、前記第１の入力側ディスクと前記ベアリング支持部材との間に設けられ且つ前記各ディスクと前記パワーローラとの各当接部に予圧を付与する皿ばねと、前記入力軸の軸方向位置を規定し且つ前記第２の入力側ディスクの軸方向変位を規制するローディングナットとを備えたトロイダル型無段変速機において、
前記ローディングナットと前記第２の入力側ディスクとの間には、前記ローディングカムと前記ベアリング支持部材との間の隙間を所定の値に設定するためのシムが介挿され、
前記ベアリング支持部材と前記第１の入力側ディスクとの間には、前記ローディングカムと前記ベアリング支持部材との間の隙間を前記所定の値に設定しつつ前記皿ばねの予圧を所定の値に調整する皿ばね調整用シムが介挿されていることを特徴とするトロイダル型無段変速機。
【請求項２】
回転力が入力される入力軸と、前記入力軸にスプライン結合されて入力軸と一体で回転する一対の第１および第２の入力側ディスクと、前記各入力側ディスクの回転力がパワーローラを介して伝達される一対の出力側ディスクと、前記第１の入力側ディスクと前記入力軸との間に設けられ且つ前記入力軸の回転力を前記第１の入力側ディスクに伝えるローディングカム装置と、カムローラと共に前記ローディングカム装置を構成し且つ前記入力軸と共に回転するローディングカムと、前記入力軸と前記ローディングカムとの間に設けられてスラスト荷重を支承自在な玉軸受と、前記ローディングカムと前記入力軸との間に設けられ且つ前記入力軸との間で前記玉軸受の玉を支持するベアリング支持部材と、前記第１の入力側ディスクと前記ベアリング支持部材との間に設けられ且つ前記各ディスクと前記パワーローラとの各当接部に予圧を付与する皿ばねと、前記第１の入力側ディスクと前記ベアリング支持部材との間に前記皿ばねとともに設けられたスラストニードル軸受とを備え、前記ローディングカムと前記ベアリング支持部材との間に所定の隙間Ｓが形成されたトロイダル型無段変速機における、前記皿ばねの予圧を所定の値に調整する方法において、
前記第１の入力側ディスクと対向する前記ベアリング支持部材の第１の端面とこの第１の端面と反対側の第２の端面との間の軸方向距離Ｂと、前記皿ばねが当接する前記第１の入力側ディスクの当接面とこの当接面と反対側に位置する第１の入力側ディスの端面との間の軸方向長さＣと、前記スラストニードル軸受の軸方向寸法Ｅをそれぞれ部品単体で測定し、
カムローラがローディングカムに形成されたカム面及び第１の入力側ディスクに形成されたカム面のカム底に位置する状態で、前記第１の入力側ディスクと前記ベアリング支持部材と前記ローディングカムとを仮組みし、前記ベアリング支持部材の前記第２の端面と前記第１の入力側ディスクの前記端面との間の軸方向距離Ａを測定し、
前記寸法Ａ，Ｂ，Ｃから、前記ベアリング支持部材の前記第２の端面と前記第１の入力側ディスクの前記端面との間の距離Ｄを計算し、以下の計算式（１）により、前記皿ばねが所定の設定寸法Ｆとなるように、前記ベアリング支持部材と前記第１の入力側ディスクとの間に設けられる皿ばね調整用シムの板厚Ｘを選択する
Ｄ＋Ｓ＝Ｆ＋Ｅ＋Ｘ      ・・・（１）
ことを特徴とする方法。
【請求項３】
回転力が入力される入力軸と、前記入力軸にスプライン結合されて入力軸と一体で回転する一対の第１および第２の入力側ディスクと、前記各入力側ディスクの回転力がパワーローラを介して伝達される一対の出力側ディスクと、前記第１の入力側ディスクと前記入力軸との間に設けられ且つ前記入力軸の回転力を前記第１の入力側ディスクに伝えるローディングカム装置と、前記ローディングカム装置を構成し且つ前記入力軸と共に回転するローディングカムと、前記入力軸と前記ローディングカムとの間に設けられてスラスト荷重を支承自在な玉軸受と、前記ローディングカムと前記入力軸との間に設けられ且つ前記入力軸との間で前記玉軸受の玉を支持するベアリング支持部材と、前記第１の入力側ディスクと前記ベアリング支持部材との間に設けられ且つ前記各ディスクと前記パワーローラとの各当接部に予圧を付与する皿ばねと、前記入力軸の軸方向位置を規定し且つ前記第２の入力側ディスクの軸方向変位を規制するローディングナットとを備えたトロイダル型無段変速機における、前記ローディングカムと前記ベアリング支持部材との間の隙間を所定の値Ｓに設定する方法において、
前記ベアリング支持部材と対向する前記ローディングカムの対向面と、前記第１の入力側ディスクと反対側に位置するローディングカムの端面との間の軸方向距離Ｖと、前記ローディングカムの前記対向面と対向する前記ベアリング支持部材の対向面と、前記第１の入力側ディスクと対向する前記ベアリング支持部材の第１の端面に対して反対側に位置する第２の端面との間の軸方向距離Ｗとを、部品単体の状態で測定し、
カムローラがローディングカムに形成されたカム面及び第１の入力側ディスクに形成されたカム面のカム底に位置し、パワーローラの傾転角が０の状態で、前記入力軸と、前記玉軸受と、前記皿板ばねとを組み付け、前記ベアリング支持部材の第２端面と、前記ローディングカムの前記端面との間の距離Ｙを測定し、
以下の計算式（２）が満たされるように、前記ローディングナットと前記第２の入力側ディスクとの間に設けられるシムの板厚を選択する
Ｙ＝Ｖ−Ｗ−Ｓ            ・・・（２）
ことを特徴とする方法。
【手続補正２】
【補正対象書類名】明細書
【補正対象項目名】００１２
【補正方法】変更
【補正の内容】
【００１２】
【課題を解決するための手段】
前記課題を解決するために、請求項１に記載された発明は、回転力が入力される入力軸と、前記入力軸にスプライン結合されて入力軸と一体で回転する一対の第１および第２の入力側ディスクと、前記各入力側ディスクの回転力がパワーローラを介して伝達される一対の出力側ディスクと、前記第１の入力側ディスクと前記入力軸との間に設けられ且つ前記入力軸の回転力を前記第１の入力側ディスクに伝えるローディングカム装置と、前記ローディングカム装置を構成し且つ前記入力軸と共に回転するローディングカムと、前記入力軸と前記ローディングカムとの間に設けられてスラスト荷重を支承自在な玉軸受と、前記ローディングカムと前記入力軸との間に設けられ且つ前記入力軸との間で前記玉軸受の玉を支持するベアリング支持部材と、前記第１の入力側ディスクと前記ベアリング支持部材との間に設けられ且つ前記各ディスクと前記パワーローラとの各当接部に予圧を付与する皿ばねと、前記入力軸の軸方向位置を規定し且つ前記第２の入力側ディスクの軸方向変位を規制するローディングナットとを備えたトロイダル型無段変速機において、前記ローディングナットと前記第２の入力側ディスクとの間には、前記ローディングカムと前記ベアリング支持部材との間の隙間を所定の値に設定するためのシムが介挿され、前記ベアリング支持部材と前記第１の入力側ディスクとの間には、前記ローディングカムと前記ベアリング支持部材との間の隙間を前記所定の値に設定しつつ前記皿ばねの予圧を所定の値に調整する皿ばね調整用シムが介挿されていることを特徴とする。
この請求項１に記載の発明によれば、前記シムおよび前記皿ばね調整用シムにより、ローディングカムとベアリング支持部材との間の隙間を所定の値に設定しつつ、前記皿ばねの予圧を所定の値に調整することができる。
【手続補正３】
【補正対象書類名】明細書
【補正対象項目名】００１４
【補正方法】変更
【補正の内容】
【００１４】
また、請求項３に記載された発明は、回転力が入力される入力軸と、前記入力軸にスプライン結合されて入力軸と一体で回転する一対の第１および第２の入力側ディスクと、前記各入力側ディスクの回転力がパワーローラを介して伝達される一対の出力側ディスクと、前記第１の入力側ディスクと前記入力軸との間に設けられ且つ前記入力軸の回転力を前記第１の入力側ディスクに伝えるローディングカム装置と、前記ローディングカム装置を構成し且つ前記入力軸と共に回転するローディングカムと、前記入力軸と前記ローディングカムとの間に設けられてスラスト荷重を支承自在な玉軸受と、前記ローディングカムと前記入力軸との間に設けられ且つ前記入力軸との間で前記玉軸受の玉を支持するベアリング支持部材と、前記第１の入力側ディスクと前記ベアリング支持部材との間に設けられ且つ前記各ディスクと前記パワーローラとの各当接部に予圧を付与する皿ばねと、前記入力軸の軸方向位置を規定し且つ前記第２の入力側ディスクの軸方向変位を規制するローディングナットとを備えたトロイダル型無段変速機における、前記ローディングカムと前記ベアリング支持部材との間の隙間を所定の値Ｓに設定する方法において、前記ベアリング支持部材と対向する前記ローディングカムの対向面と、前記第１の入力側ディスクと反対側に位置するローディングカムの端面との間の軸方向距離Ｖと、前記ローディングカムの前記対向面と対向する前記ベアリング支持部材の対向面と、前記第１の入力側ディスクと対向する前記ベアリング支持部材の第１の端面に対して反対側に位置する第２の端面との間の軸方向距離Ｗとを、部品単体の状態で測定し、カムローラがローディングカムに形成されたカム面及び第１の入力側ディスクに形成されたカム面のカム底に位置し、パワーローラの傾転角が０の状態で、前記入力軸と、前記玉軸受と、前記皿板ばねとを組み付け、前記ベアリング支持部材の第２端面と、前記ローディングカムの前記端面との間の距離Ｙを測定し、以下の計算式（２）が満たされるように、前記ローディングナットと前記第２の入力側ディスクとの間に設けられるシムの板厚を選択する
Ｙ＝Ｖ−Ｗ−Ｓ            ・・・（２）
ことを特徴とする。
この請求項３に記載の発明によれば、前記シムにより、ローディングカムとベアリング支持部材との間の隙間を所定の値Ｓに設定することができる。
【手続補正４】
【補正対象書類名】明細書
【補正対象項目名】００１６
【補正方法】変更
【補正の内容】
【００１６】
図１〜図３は本発明の一実施形態を示している。図１に示されるように、本実施形態に係るダブルキャビティ型の高トルク用トロイダル型無段変速機では、ローディングカム１２ａとベアリング支持部材６３との間の隙間を所定の値Ｓ（例えば０．５ｍｍ）に設定しつつ（図３参照）、初期推力用皿ばね４２の予圧を所定の値（皿ばね４２の寸法を所定の値）に調整するために、ベアリング支持部材６３の径方向内側部位と入力側ディスク２との間に、スラストニードル軸受５５と、予圧ばねである皿板ばね４２と、皿ばね調整用シム３０とが軸方向に沿って互いに直列に配置されるとともに、ローディングナット９と入力側ディスク２との間にシム３２が介挿され、また、以下のような方法によって皿ばね調整用シム３０およびシム３２の板厚が設定される。
【手続補正５】
【補正対象書類名】明細書
【補正対象項目名】００２０
【補正方法】変更
【補正の内容】
【００２０】
続いて、ローディングカム１２ａとベアリング支持部材６３との間の隙間を正確に所定の値Ｓに調整するために、図３に示されるように、カムローラ１２ｂがローディングカム１２ａのカム面１１３及び入力側ディスク２のカム面１１４のカム底に位置し、パワーローラの傾転角が０（変速比＝１）の状態で、入力軸１、玉軸受６６、スラストニードル軸受５５と、予圧ばねである皿板ばね４２と、皿ばね調整用シム３０を組み付け、寸法Ｙを測定する。この場合、予め、部品単体の状態で、ローディングカム１２の寸法Ｖおよびベアリング支持部材６３の寸法Ｗを測定しておき、以下の計算式（２）が満たされるように、シム３２の板厚を選択する。
Ｙ＝Ｖ−Ｗ−Ｓ            ・・・（２）
【手続補正６】
【補正対象書類名】明細書
【補正対象項目名】００２２
【補正方法】変更
【補正の内容】
【００２２】
図１に示されるように、ローディングナット９は入力軸１の端面位置で位置決めされ、入力軸１は玉６５の位置を決め、玉６５はベアリング支持部材６３の位置を決定するため、シム３２の板厚を変えることにより、ベアリング支持部材６３の位置が決まり、ベアリング支持部材６３の対向面６３ｃ（端面６３ａ，６３ｂ）位置が決まる。そのため、シム３２によって、ローディングカム１２ａとベアリング支持部材６３との間の隙間を正確に所定の値Ｓに調整することができる。
以上のように、本実施形態によれば、寸法公差の積み重ねにより変化する初期推力用皿ばねの予圧の調整と、入力側ディスクとベアリング支持部材との間の隙間の調整を容易且つ正確に行なうことができ、変速機の品質を維持できる。
【手続補正７】
【補正対象書類名】明細書
【補正対象項目名】００２３
【補正方法】変更
【補正の内容】
【００２３】
【発明の効果】
以上説明したように、請求項１に記載の発明によれば、前記シムおよび前記皿ばね調整用シムにより、ローディングカムとベアリング支持部材との間の隙間を所定の値に設定しつつ、前記皿ばねの予圧を所定の値に調整することができる。
請求項２に記載された発明によれば、前記皿ばね調整用シムにより、ローディングカムとベアリング支持部材との間の隙間を所定の値に設定しつつ、前記皿ばねの予圧を所定の値に調整することができる。
請求項３に記載の発明によれば、前記シムにより、ローディングカムとベアリング支持部材との間の隙間を所定の値に設定することができる。
【手続補正８】
【補正対象書類名】明細書
【補正対象項目名】符号の説明
【補正方法】変更
【補正の内容】
【符号の説明】
１    入力軸
２    入力側ディスク
３    出力側ディスク
９    ローディングナット
１１    パワーローラ
１２    ローディングカム装置
１２ａ    ローディングカム
３０    皿ばね調整用シム
３２    シム
４２    皿ばね
６３    ベアリング支持部材